(57)【要約】【課題】  報の追記が表示装置から離れた場所でも容易にでき、表示画像切り替え時の追記情報の消去・清掃作業を無くすことができ、プレゼンテーション等の作業を容易且つ迅速に行えるようにする。【解決手段】  感光体ドラム５に書き込み手段７により静電潜像が形成され、この静電潜像が消色トナー現像器８で可視像化されて表示画像としての消色トナー像が得られる。この消色トナー像が画像表示ベルト１上に転写される。転写された消色トナー像が、画像表示ベルト１の走行に従い、透明な保護カバー１７の表示領域１７ａに位置した時点で駆動ローラ２が停止される。表示画像形成領域内には追記用ベタ領域が設けられ、保護カバー１７の外部からポインター装置３２により特定波長の光を特定強度で照射することにより、消色トナーで現像された追記用ベタ領域の任意部を消色し、情報を追記することが可能となる。【選択図】図１
2005091924.tif 000002
【特許請求の範囲】
【請求項１】
像担持体に静電潜像を形成し、該静電潜像をトナーにより現像した画像を表示する画像表示装置において、
静電潜像の現像を消色トナーにより行うとともに、消色トナーにより形成された表示画像の任意部へ光照射が可能な表示部を有していることを特徴とする画像表示装置。
【請求項２】
画像担持体と、該画像担持体に消色トナーによるトナー層を形成する手段と、上記トナー層に画像情報に応じた光を照射し、消色することにより表示画像を形成する手段と、上記表示画像の任意部へ光照射が可能な表示部を有していることを特徴とする画像表示装置。
【請求項３】
請求項１又は２記載の画像表示装置における表示画像の任意部を指示するポインター装置において、
照射する光の光量を変更可能であり、光量を変更することにより上記表示画像の任意部を露光して消色し画像を追記可能であることを特徴とするポインター装置。
【請求項４】
請求項１又は２記載の画像表示装置における表示画像の任意部を指示するポインター装置において、
照射する光の波長を変更可能であり、波長を変更することにより上記表示画像の任意部を露光して消色し画像を追記可能であることを特徴とするポインター装置。
【請求項５】
請求項１又は２記載の画像表示装置において、
上記表示画像を記録媒体に転写する転写手段を有していることを特徴とする画像表示装置。
【請求項６】
請求項５記載の画像表示装置において、
上記表示画像を転写された記録媒体上の該表示画像に光を照射して消色する手段を有していることを特徴とする画像表示装置。
【請求項７】
請求項５記載の画像表示装置において、
上記消色トナーは、通常の環境条件にて一定時間経過後に自然に消色する特性を有していることを特徴とする画像表示装置。
【発明の詳細な説明】
【技術分野】
【０００１】
本発明は、トナー画像を形成して表示する画像表示装置に関し、詳しくは表示画像に対する情報の追記が可能な画像表示装置に関する。
【背景技術】
【０００２】
従来、電気信号に変換された画像情報を可視像化して表示する画像表示装置は種々開発されており、代表的なものとしてＣＲＴ（陰極線管）ディスプレイ装置や液晶ディスプレイ装置、プラズマディスプレイ装置が実用化されている。
ＣＲＴディスプレイ装置は、解像力不足や表示能力の低下、目が疲れる等の課題を有しており、液晶ディスプレイ装置やプラズマディスプレイ装置は解像力不足、大画面化し難く、高価である等の課題を有していることから、電子写真方法を用いた画像表示装置が提案されている。
【０００３】
特開平５−１８１３９１号公報には、上下２つの搬送ローラ間に掛け回されたベルト状の画像表示部材上にトナー像とともにマーキングをし、このマークを濃度検知センサで読み取ることにより画像表示部材の無駄な移動を無くして画像を見やすい位置に設定する技術が開示されている。
特開平５−２６５３５１号公報には、表示媒体として電子写真用感光体を用い、表示される画像の解像力を向上させ、小さな文字や精細な画像情報についても良好に再現できるようにすべく、感光体と、コロナチャージャと、帯電同時露光用コロナチャージャと、全面露光ランプと、現像装置と、透明な表示部とで構成し、感光体上に形成したトナー像を表示部を通して視認できるようにした画像表示装置が記載されている。
【０００４】
特開平６−１０５０９４号公報には、表示された画像に加筆する際に画像を形成する未定着トナ−によりオペレ−タの手や衣服が汚れることを防止すべく、外部画像読み取り装置により読み取った画像を表示面（ベルト状感光体）上に表示し、パネル読み取り装置により透明カバ−上に加筆された画像と、透明カバ−の下に位置する前記表示面上の画像とを重ねて読み取り、その読み取った画像をプリンタでプリントアウトする画像形成装置が記載されている。
特開平７−２０７４６号公報には、透明なフィルムベルトに感光ドラムに形成されたトナー像を転写し、フィルムベルトの内側に設けた光源によってフィルムベルト上のトナー像をスクリーンに投射する情報表示装置が記載されている。
特開平７−１２１０５７号公報には、ループ状に設けられた透明フィルムの内側に画像を記録するとともに外側にペン等で直接書き込みを行い、記録された図形を、ペン等で書き込みされた文字等とともにイメージセンサによって読み取る技術が開示されている。
【０００５】
【特許文献１】特開平５−１８１３９１号公報
【特許文献２】特開平５−２６５３５１号公報
【特許文献３】特開平６−１０５０９４号公報
【特許文献４】特開平７−２０７４６号公報
【特許文献５】特開平７−１２１０５７号公報
【発明の開示】
【発明が解決しようとする課題】
【０００６】
特開平５−１８１３９１号公報、特開平５−２６５３５１号公報に記載の画像表示装置においては、表示部材にトナー画像を形成し、トナー画像を装置外部から視認可能とする画像表示部を設けている。また、特開平７−２０７４６号公報に記載の情報表示装置においては、透明部材にトナー像を形成し、透明部材上のトナー像をスクリーンに投射する光源を設けている。
画像表示装置の用途の１つであるプレゼンテーションにおいては、表示画像の任意部をポインター装置により指示したり、表示画像に情報を追記したりできることが有用であり、液晶ディスプレイ装置やプラズマディスプレイ装置のようにコンピュータと接続し、プレゼンテーションアプリケーション画面をリアルタイムに表示可能な装置においては、簡単に実現できる機能である。
【０００７】
しかしながら、上記のような電子写真方式を用いた画像表示装置においては、コンピュータ画面をリアルタイムに表示すことは困難である。
これに対し、特開平６−１０５０９４号公報に記載の画像形成装置では、トナー画像表示部に情報の追記が可能な透明カバーを設けている。この装置においては、プレゼンテーション時に表示画像に対し簡単に情報の追記が可能であるが、表示装置からある程度離れた場所でプレゼンテーションを行う場合は、情報の追記が必要となるたびに、書き込みを行うために表示装置に近づく必要があるばかりでなく、表示画像を切り換えるたびに、透明カバーに追記した情報を消去・清掃する必要があり、プレゼンテーションにおける大きな障害（面倒さ）となっていた。
また、特開平７−１２１０５７号公報に記載のイメージ表示装置では、透明部材の内側にトナー像を形成し、光源によりトナー像をスクリーンに投射するとともに、透明部材の外側に情報の追記を可能としている。この装置においては、プレゼンテーション時に表示画像に対し簡単に情報の追記が可能であるが、表示装置からある程度離れた場所、たとえばスクリーンの近くでプレゼンテーションを行う場合は、情報の追記が必要となるたびに、上記と同様に表示装置に近づく必要があり、プレゼンテーションにおける大きな障害（面倒さ）となっていた。
【０００８】
そこで、本発明は、情報の追記が表示装置から離れた場所でも容易にでき、表示画像切り換え時の追記情報の消去・清掃作業を無くすことができ、プレゼンテーション等の作業を容易且つ迅速に行える画像表示装置及びポインター装置の提供を、その目的とする。
【課題を解決するための手段】
【０００９】
上記目的を達成するために、請求項１記載の発明では、像担持体に静電潜像を形成し、該静電潜像をトナーにより現像した画像を表示する画像形成装置において、静電潜像の現像を消色トナーにより行うとともに、消色トナーにより形成された表示画像の任意部へ光照射が可能な表示部を有していることを特徴とする。
【００１０】
請求項２記載の発明では、画像担持体と、該画像担持体に消色トナーによるトナー層を形成する手段と、上記トナー層に画像情報に応じた光を照射し、消色することにより表示画像を形成する手段と、上記表示画像の任意部へ光照射が可能な表示部を有していることを特徴とする。
【００１１】
請求項３記載の発明では、請求項１又は２記載の画像表示装置における表示画像の任意部を指示するポインター装置において、照射する光の光量を変更可能であり、光量を変更することにより上記表示画像の任意部を露光して消色し画像を追記可能であることを特徴とする。
【００１２】
請求項４記載の発明では、請求項１又は２記載の画像表示装置における表示画像の任意部を指示するポインター装置において、照射する光の波長を変更可能であり、波長を変更することにより上記表示画像の任意部を露光して消色し画像を追記可能であることを特徴とする。
【００１３】
請求項５記載の発明では、請求項１又は２記載の画像表示装置において、上記表示画像を記録媒体に転写する転写手段を有していることを特徴とする。
【００１４】
請求項６記載の発明では、請求項５記載の画像表示装置において、上記表示画像を転写された記録媒体上の該表示画像に光を照射して消色する手段を有していることを特徴とする。
【００１５】
請求項７記載の発明では、請求項５記載の画像表示装置において、上記消色トナーは、通常の環境条件にて一定時間経過後に自然に消色する特性を有していることを特徴とする。
【発明の効果】
【００１６】
請求項１記載の発明によれば、像担持体に静電潜像を形成し、該静電潜像をトナーにより現像した画像を表示する画像表示装置において、静電潜像の現像を消色トナーにより行うとともに、消色トナーにより形成された表示画像の任意部へ光照射が可能な表示部を有している構成としたので、装置との距離に拘わらず簡単に付加情報を追記できる。表示部は単に光が通過するだけであり、追加情報が表示部に書き込まれる訳ではないので、表示画像を切り換えるたびに表示部の情報消去・清掃を行う必要がない。面倒さがないので、使用性の向上を図ることができる。また、消色トナーによる現像を非画像部とすることにより、付加情報追記位置の自由度を向上できる。
【００１７】
請求項２記載の発明によれば、画像担持体と、該画像担持体に消色トナーによるトナー層を形成する手段と、上記トナー層に画像情報に応じた光を照射し、消色することにより表示画像を形成する手段と、上記表示画像の任意部へ光照射が可能な表示部を有している構成としたので、画像形成に必要となる部品コスト削減、部品点数の削減が可能となるため、装置の低コスト化、小型化が可能となる。
【００１８】
請求項３記載の発明によれば、請求項１又は２記載の画像表示装置における表示画像の任意部を指示するポインター装置において、照射する光の光量を変更可能であり、光量を変更することにより上記表示画像の任意部を露光して消色し画像を追記可能である構成としたので、表示画像指示用のポインター装置を、表示画像への付加情報追記装置として兼用できるため、画像表示装置の使い勝手の大幅な向上が可能となる。
【００１９】
請求項４記載の発明によれば、請求項１又は２記載の画像表示装置における表示画像の任意部を指示するポインター装置において、照射する光の波長を変更可能であり、波長を変更することにより上記表示画像の任意部を露光して消色し画像を追記可能である構成としたので、表示画像指示用のポインター装置を、表示画像への付加情報追記装置として兼用できるため、画像表示装置の使い勝手の大幅な向上が可能となる。
【００２０】
請求項５記載の発明によれば、請求項１又は２記載の画像表示装置において、上記表示画像を記録媒体に転写する転写手段を有している構成としたので、表示画像がトナーにより形成されているため、通常の電子写真方式画像形成装置と同様に、トナー像を記録媒体に転写するのみで、表示画像の記録媒体出力による記録・保存が実現でき、画像表示装置の使い勝手の大幅な向上が可能となる。
【００２１】
請求項６記載の発明によれば、請求項５記載の画像表示装置において、上記表示画像を転写された記録媒体上の該表示画像に光を照射して消色する手段を有している構成としたので、簡単かつ迅速に記録媒体に記録された表示画像の消去が可能であるため、例えば紙資源のリサイクルが可能となり、環境負荷低減に寄与することができる。
【００２２】
請求項７記載の発明によれば、請求項５記載の画像表示装置において、上記消色トナーは、通常の環境条件にて一定時間経過後に自然に消色する特性を有している構成としたので、通常環境に放置するだけで付加情報の消去が可能であり、特別な消色手段を設ける必要や、特別な消色処理を施す必要がなく、画像の消去が可能であるため、紙等の資源のリサイクルが可能となり、環境負荷低減に寄与できるとともに、記録情報の機密性を向上させることができる。
【発明を実施するための最良の形態】
【００２３】
以下、本発明の第１の実施形態を図１に基づいて説明する。
図１は本発明を適用した画像表示装置の構成を示す。図１において、無端状の画像表示ベルト１が上方に位置する駆動ローラ２と下方に位置する従動ローラ３との間に掛け渡されており、駆動ローラ２によって矢印の向きに走行するように駆動される。
画像表示ベルト１の従動ローラ３側下方には、画像形成ユニット４が配置されている。画像形成ユニット４は、像担持体としての感光体ドラム５と、該感光体ドラム５の表面を一様に帯電するローラからなる帯電器６と、感光体ドラム５の帯電表面に画像信号によって変調されたビームで書き込みを行う書き込み手段７と、消色トナー現像器８と、感光体ドラム５上に残留したトナーを除去するクリーニング手段９等を有している。
【００２４】
消色トナー現像器８は、現像ローラ１０、パドルローラ１１、スクリューコンベア１２、トナー補給口１３等を備えている。パドルローラ１１は、放射状に延びる複数のスクリュー状のフィン１１ａを有しており、一方向に回転して消色トナー現像器８内の現像剤（消色トナーＴｅを含む）を軸方向（紙面厚み方向）に搬送しながら撹拌し、その現像剤を現像ローラ１０に供給する。
スクリューコンベア１２は、消色トナー現像器８内の現像剤をパドルローラ１１による搬送方向とは逆の方向に搬送する。消色トナー現像器８内の現像剤はパドルローラ１１とスクリューコンベア１２とによって十分に撹拌された状態で現像ローラ１０に供給される。
トナー補給口１３には、消色トナー補給容器（図示せず）が着脱自在に装着されていて、スクリューコンベア１２の一端部に消色トナーＴｅを適時補給し、消色トナー現像器８内の現像剤の濃度を所定の値に保持する。
【００２５】
感光体ドラム５の回転は画像表示ベルト１の走行と同期しており、その周速は、画像表示ベルト１の走行速度と厳密に一致するように定められている。
帯電器６と書き込み手段７とによる周知の電子写真画像形成方法（一様な帯電及び書き込み）で形成された感光体ドラム５上の静電潜像は、現像ローラ１０により現像される。消色トナー現像器８は、周知の電子写真画像形成用現像器を採用することができる。
感光体ドラム５には、画像表示ベルト１の従動ローラ３側から転写用のバイアス電圧が印加される。
【００２６】
駆動ローラ２の近傍には、画像表示ベルト１の表面のトナーを除去するクリーニング装置１４が設けられている。クリーニング装置１４は、画像表示ベルト１に対してカウンタ方向で当接するクリーニングブレード１５と、クリーニングブレード１５で除去されたトナーを回収する搬送部材１６等を有している。
画像表示ベルト１の画像表示側（図中右側）には、表示部としての保護カバー１７が設けられている。保護カバー１７は、駆動ローラ２から従動ローラ３に亘る範囲の長さを有しているが、実質的な表示領域は１７ａである。保護カバー１７は光が透過する材料（例えば透明なプラスチック板）で形成されている。画像表示ベルト１の反対側（図中左側）も保護カバー１８で覆われている。
【００２７】
駆動ローラ２の上部には、中間転写用のバイアス電圧が印加される中間転写ローラ１９が画像表示ベルト１に対して接離自在に設けられており、画像表示ベルト１上の表示画像は中間転写ローラ１９に転写可能となっている。
中間転写ローラ１９には紙（記録媒体）転写用のバイアス電圧が印加される紙転写ローラ２０が接触して設けられ、紙転写ローラ２０と中間転写ローラ１９とにより表示画像の転写部２１が構成されている。また、中間転写ローラ１９と紙転写ローラ２０により表示画像を転写するための転写手段が構成されている。
画像表示装置の上方には、給紙装置２２が設けられている。給紙装置２２は、記録媒体としての転写紙Ｐを積載収容する給紙カセット２３と、積載された転写紙Ｐを最上のものから順に１枚ずつ分離して送り出す給紙ローラ２４等を有している。
給紙装置２２から送り出された１枚の転写紙Ｐは、ガイド板２５に案内されて転写部２１に給送され、中間転写ローラ１９上の表示画像を転写される。
【００２８】
転写部２１の斜め上方には、回転駆動される加熱ローラ２６とこれに圧接して回転する加圧ローラ２７を備えた定着装置２８が配置されている。加熱ローラ２６には、加熱ローラ２６の表面にオフセット防止液を塗布するローラ２９が必要に応じて当接している。
表示画像を転写された転写紙Ｐは、定着装置２８を通るとき、加熱ローラ２６と加圧ローラ２７により挟持搬送され、熱と圧力により消色トナーが溶融定着される。これにより、表示画像を紙情報として記録することが可能となる。加熱ローラ２６に密着した転写紙Ｐは分離爪３０により分離される。
定着装置２８の下流近傍（出口近傍）には、消色トナーの消色に必要な特定波長の光を特定強度で照射する消色光照射手段３１が設けられている。
【００２９】
上記構成による画像表示装置の動作を説明する。
まず、画像形成ユニット４の感光体ドラム５に、帯電器６と書き込み手段７とにより静電潜像が形成され、この静電潜像が消色トナー現像器８で可視像化されて表示画像としての消色トナー像が得られる。この消色トナー像が従動ローラ３側からの転写バイアス印加により画像表示ベルト１上に転写される。
転写された消色トナー像が、画像表示ベルト１の走行に従い、保護カバー１７の表示領域１７ａに位置した時点で駆動ローラ２が停止される。これにより画像表示ベルト１上の消色トナー像が表示装置外部から視認可能となる。
画像（消色トナー像）の表示を終えた画像表示ベルト１は接触状態のクリーニング装置１４でトナー像を除去される。
複数の画像を表示する場合は、上記工程が繰り返される。
【００３０】
上記画像表示装置においては、表示画像を消色トナー像で形成することが可能である。消色トナーは、特開平５−７２８００号公報や特開平５−１３４４４７号公報等の周知技術に示されているように、特定波長の光を特定強度でトナー像に照射することにより、画像を消色することが可能な特性を有している。
ここで、表示情報内（表示画像形成領域内）に、情報追記用ベタ領域を設け、上述のように、透明な部材により形成された保護カバー１７に対し、装置外部から特定波長の光を特定強度で照射することにより、消色トナーで現像された情報追記用ベタ領域の任意部を消色し、情報を追記することが可能となる。この場合、追記情報（画像）は白抜け画像となる。
表示画像形成領域内の画像部を白抜け像とし、非画像部を消色トナーにより現像した画像とすれば、上述のような情報追記用領域を特別に設ける必要がない。
この場合、透明な部材により形成された保護カバー１７に対し、装置外部から特定波長の光を特定強度で照射することにより、消色トナーで現像された非画像部の任意部を消色し、情報を追記することが可能となる。
【００３１】
従来より、画像表示装置の使用時に、表示画像の任意部を光を照射することにより指示するポインター装置が多用されている。本実施形態では、ポインター装置３２により、表示画像の任意部の表示と消色による追記を行うようになっている。
ポインター装置３２の照射波長を消色トナーの消色に必要な波長とし、表示画像を指示する通常使用時には消色トナーの消色に必要な強度と異なる強度とするとともに、表示画像に情報を追記する場合は、消色トナーの消色に必要な強度とすることにより、消色トナーで現像された表示画像の任意部を消色し、情報を追記することが可能となる。
【００３２】
光学式ポインター装置は、一般的に光源として半導体レーザを使用しており、現在半導体レーザは様々な波長、強度のものが量産されている。消色トナーの消色とポインター装置（ポインターともいう）としての使用の双方に必要な強度以上の半導体レーザを選択し、光学式ポインター装置光源として搭載し、駆動電流の切り換えにより強度を選択的に切り換えて使用することで、画像表示部において情報の追記が可能なポインター装置３２が容易に実現できる。
【００３３】
画像表示装置の使用時に、表示画像の任意部を光を照射することにより指示するポインター装置３２において、表示画像を指示する通常使用時には消色トナーの消色に必要な波長と異なる波長とし、表示画像に情報を追記する場合は、消色トナーの消色に必要な波長とするようにしてもよい（第２の実施形態）。
この場合にも消色トナーで現像された表示画像の任意部を消色し、情報を追記することが可能となる。光学式ポインター装置は、一般的に光源として半導体レーザを使用しており、現在半導体レーザは様々な波長、強度のものが量産されている。
消色トナーの消色に必要な波長の半導体レーザと、ポインターとして使用する波長の半導体レーザを選択し、双方の半導体レーザを光学式ポインター装置光源として搭載し、選択的に切り換えて使用することで、画像表示部において情報の追記が可能なポインター装置が容易に実現できる。
【００３４】
画像表示装置の使用時に、表示画像の記録が必要となる場合が考えられる。特に、画像表示時に追記した情報は当初の画像情報には無い情報なので、その必要性は大きい。
表示画像の記録が必要な場合には、上述のように表示画像はクリーニング装置１４により除去されることなく中間転写ローラ１９に転写され、転写紙Ｐに転写されて定着される。
また、上述のように紙情報として記録した表示情報は、記録後に不要になる場合、あるいは消去する必要がある場合が考えられる。特に、環境負荷低減の観点から、紙資源のリサイクルの必要性は大きい。
このような場合には、記録済みの転写紙Ｐを給紙カセット２３に消去したい画像面を下向きにしてセットし、転写部２１、定着装置２８を介してオン状態の消色光照射手段３１を通過させる。消色光照射手段３１から消色トナーの消色に必要な特定波長の光が特定強度で照射され、これにより転写紙Ｐの消色トナーで現像された表示画像を消去することが可能となる。消去しない場合には消色光照射手段３１はオフ状態を維持される。
【００３５】
上述のように紙情報として記録した表示画像は、上記のように紙資源のリサイクルが必要である場合、また、長期間の情報保存が機密上問題となる場合が考えられる。このような場合、消色トナーの材質を、通常環境下で特定期間放置することにより自然に消色される組成とすることにより、一定期間以上、記録紙情報が保存されることを防止できる（第３の実施形態）。
【００３６】
図２に基づいて第４の実施形態を説明する。なお、第１の実施形態と同一部分は同一符号で示し、特に必要がない限り既にした構成上及び機能上の説明は省略して要部のみ説明する。
本実施形態における画像形成ユニット３３は、画像担持体としての導電性ドラム３４と、該導電性ドラム３４の表面に一様に消色トナーＴｅを塗布する、トナー層を形成する手段としての消色トナー塗布器３５と、導電性ドラム３４に一様に塗布された消色トナー層に対し、画像信号によって変調されたビームで書き込みを行う書き込み手段３６と、導電性ドラム３４上に残留したトナーを除去するためのクリーニング手段３７等を有している。
消色トナー塗布器３５は、塗布ローラ３８、パドルローラ３９、スクリューコンベア４０、トナー補給口４１等を備えている。パドルローラ３９は、放射状に延びる複数のスクリュー状のフィン３９ａを有し、一方向に回転して消色トナー塗布器３５内の塗布剤（消色トナーＴｅを含む）を軸方向に搬送しながら撹拌し、その塗布剤を塗布ローラ３８に供給する。
スクリューコンベア４０は、消色トナー塗布器３５内の塗布剤をパドルローラ３９による搬送方向とは逆の方向に搬送する。消色トナー塗布器３５内の塗布剤はパドルローラ３９とスクリューコンベア４０とによって十分に撹拌された状態で塗布ローラ３８に供給される。
【００３７】
トナー補給口４１には、消色トナー補給容器（図示せず）が着脱自在に装着されていて、スクリューコンベア４０の一端部に消色トナーを適時補給し、消色トナー塗布器３５内の塗布剤の濃度を所定の値に保持する。
導電性ドラム３４の回転は画像表示ベルト１の走行と同期しており、その周速は、画像表示ベルト１の走行速度と厳密に一致するように定められている。
グランドに接地された導電性ドラム３４の表面には、消色トナー塗布器３５内で攪拌・帯電された消色トナーＴｅが、バイアス電位をもった塗布ローラ３８により一様に塗布される。書き込み手段３６は、消色トナーの消色に必要な、特定波長、特定強度のビームを画像信号によって変調し、消色トナー層に照射することにより、消色トナー層の任意部分を消色することで、表示画像を形成する。
導電性ドラム３４には、画像表示ベルト１の従動ローラ３側から転写用のバイアス電圧が印加される。
【００３８】
本実施形態における画像表示装置の動作を説明する。
まず、画像形成ユニット３３の導電性ドラム３４に塗布された消色トナー層に、書き込み手段３６により消色トナー像が形成される。この消色トナー像が従動ローラ３側からの転写バイアス印加により画像表示ベルト１上に転写される。
転写された消色トナー像が、画像表示ベルト１の走行に従い、保護カバー１７の表示領域１７ａに位置した時点で駆動ローラ２が停止される。これにより画像表示ベルト１上の消色トナー像が表示装置外部から視認可能となる。
画像（消色トナー像）の表示を終えた画像表示ベルト１は接触状態のクリーニング装置１４でトナーを除去される。
複数の画像を表示する場合は、上記工程が繰り返される。
本実施形態においては、図１で示した実施形態に比べ、像担持体として光導電性の感光体ドラムを使用する必要がなく、通常の導電性材料のドラムを使用することが可能であり、帯電器６を設置する必要がない、という利点がある。
【図面の簡単な説明】
【００３９】
【図１】第１の実施形態における画像表示装置の概要正面図である。
【図２】第２の実施形態における画像表示装置の概要正面図である。
【符号の説明】
【００４０】
５  像担持体としての感光体ドラム
１７  表示部としての保護カバー
３１  記録媒体上の表示画像に光を照射して消色する手段としての消色光照射手段
３２  ポインター装置
３４  画像担持体としての導電性ドラム
３５  消色トナーによるトナー層を形成する手段としての消色トナー塗布器
３６  トナー層に画像情報に応じた光を照射し、消色することにより表示画像を形成する手段としての書き込み手段
【図１】
2005091924.tif 000003
【図２】
2005091924.tif 000004